(57)【要約】      （修正有）【課題】掃除を行うことで得られるユーザの達成感を向上する情報処理システムを提供する。【解決手段】情報処理装置は、清掃具に設けられた動き検出部による動き検出に基づくデータを取得するデータ取得部２６０（通信部）と、データ取得部２６０により取得された前記データを用いて、前記清掃具を用いて行われた掃除の実績を示す実績画面を生成する表示制御部２５６と、を備える。【選択図】図５
2019192167.tif 000002
【特許請求の範囲】
【請求項１】
清掃具に設けられた動き検出部による動き検出に基づくデータを取得するデータ取得部と、
前記データ取得部により取得された前記データを用いて、前記清掃具を用いて行われた掃除の実績を示す実績画面を生成する表示制御部と、
を備える、情報処理システム。
【請求項２】
前記掃除の実績は、前記掃除が行われた距離を含む、請求項１に記載の情報処理システム。
【請求項３】
前記掃除の実績は、単位期間ごとの掃除の実績である、請求項１または２に記載の情報処理システム。
【請求項４】
前記情報処理システムは、
前記掃除の実績に関する条件および表示情報を関連付けて記憶する記憶部をさらに備え、
前記表示制御部は、単位期間ごとの実績または複数の単位期間に跨る期間における通算の実績が満たした条件に前記記憶部において関連付けられている表示情報を用いて達成画面を生成する、請求項１〜３のいずれか一項に記載の情報処理システム。
【請求項５】
前記記憶部は、前記データ取得部により取得された前記データをさらに記憶する、請求項４に記載の情報処理システム。
【請求項６】
前記情報処理システムは、
前記実績画面は、前記動き検出部による前記清掃具の動きの検出結果に基づき判定された前記清掃具の動きパターンごとに前記掃除の実績を示す、請求項１〜５のいずれか一項に記載の情報処理システム。
【請求項７】
請求項１〜６のいずれか一項に記載の情報処理システムに用いられる、清掃具。
【請求項８】
清掃具に設けられた動き検出部による動き検出に基づくデータを取得することと、
取得された前記データを用いて、前記清掃具を用いて行われた掃除の実績を示す実績画面を生成することと、
を含む、情報処理方法。
【発明の詳細な説明】
【技術分野】
【０００１】
本発明は、情報処理システムに関する。
【背景技術】
【０００２】
室内を掃除するための清掃具として、清掃面を有する清掃ヘッド、および清掃ヘッドにジョイントを介して連結された柄部を有する、拭き掃除用の清掃具が知られている。
【０００３】
また、清掃具を用いた掃除中に清掃具から音を出力するための仕組みも知られている。例えば特許文献１には、クリーナーであって、クリーナーが握られたことを圧力センサが検知したことに基づいて音を出力するクリーナーが開示されている。また、特許文献２には、ブラシの振動の検知に応じて音楽を出力するブラシが開示されている。
【先行技術文献】
【特許文献】
【０００４】
【特許文献１】登録実用新案第３１２５０６４号公報
【特許文献２】実開平１−１６９１９４号公報
【発明の概要】
【発明が解決しようとする課題】
【０００５】
特許文献１および特許文献２に記載の清掃具は、掃除中のユーザに楽しみを与え得る。しかし、特許文献１および特許文献２に記載の清掃具では、ユーザが掃除を行うことで得る達成感を向上することは困難であった。
【０００６】
本発明は、掃除を行うことで得られるユーザの達成感を向上することが可能な情報処理システムに関する。
【課題を解決するための手段】
【０００７】
上記課題を解決するために、本発明のある観点は、清掃具に設けられた動き検出部による動き検出に基づくデータを取得するデータ取得部と、前記データ取得部により取得された前記データを用いて、前記清掃具を用いて行われた清掃の実績を示す実績画面を生成する表示制御部と、を備える、情報処理システムに関する。
【発明の効果】
【０００８】
以上説明したように本発明の情報処理システムによれば、掃除を行うことで得られるユーザの達成感を向上することが可能である。
【図面の簡単な説明】
【０００９】
【図１】本発明の実施形態による情報処理システムの構成例を示す説明図である。
【図２Ａ】把持部の前面側を視点とする把持部の斜視図である。
【図２Ｂ】把持部の背面側を視点とする把持部の斜視図である。
【図３】把持部の分解図である。
【図４】基板に実装される機能を示す説明図である。
【図５】本発明の実施形態による情報処理装置の構成を示す説明図である。
【図６】実績画面の具体例を示す説明図である。
【図７】記憶部が記憶する条件データの具体例を示す説明図である。
【図８Ａ】達成画面の具体例である。
【図８Ｂ】達成画面の具体例である。
【図９】清掃具の動作を示すフローチャートである。
【図１０】情報処理装置の動作を示すフローチャートである。
【図１１】変形例を示す説明図である。
【図１２】実績画面の変形例を示す説明図である。
【図１３】情報処理装置のハードウェア構成を示した説明図である。
【発明を実施するための形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
＜１．情報処理システムの構成＞
本発明は、清掃具の動き検出に基づくデータを用いて実績画面を生成する情報処理システムに関する。実績画面の生成により、掃除を行うことで得られるユーザの達成感を向上することが可能である。以下、図１を参照して、本発明の実施形態による情報処理システムの構成例を説明する。
【００１２】
図１は、本発明の実施形態による情報処理システムの構成例を示す説明図である。図１に示したように、本発明の実施形態による情報処理システムは、清掃具１０と、情報処理装置２０と、サーバー３０と、を備える。情報処理装置２０とサーバー３０は、通信網８を介して接続されている。通信網８は、通信網８に接続されている装置から送信される情報の有線、または無線の伝送路である。例えば、通信網８は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網８は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００１３】
（清掃具）
清掃具１０は、図１に示したように、清掃ヘッド１２と、複数の筒部材１３と、把持部１６と、を備える。
【００１４】
清掃ヘッド１２は、床面等の清掃対象を清掃するための清掃部の一例である。清掃ヘッド１２は、長辺が２００〜３００ｍｍ程度、短辺が５０〜１５０ｍｍ程度の大きさの略平板形状を有する。清掃ヘッド１２の上面には筒部材１３が連結されるジョイント部１２ａが設けられる。ジョイント部１２ａは、清掃ヘッド１２に対する筒部材１３の角度が任意の角度となり得るように筒部材１３を連結する。
【００１５】
清掃ヘッド１２には、図示しない清掃シートが着脱可能に取り付けられる。例えば、清掃シートは、清掃ヘッド１２の下面を覆い、清掃ヘッド１２の長辺に沿って折り返される。そして、清掃ヘッド１２の上面側に折り返されたシート部分が清掃ヘッド１２の上面の四隅に設けられたシート保持部１２ｂに押し込まれることにより、清掃シートが清掃ヘッド１２に取り付けられる。
【００１６】
このような清掃ヘッド１２は、ユーザによる把持部１６の移動に応じて、清掃シートを介して床面等の清掃対象に圧接しながら移動する。これにより、清掃対象の拭き掃除が容易に実現される。なお、清掃ヘッド１２の上面はプラスチック製のヘッド本体で構成され、清掃ヘッド１２の下面は変形可能な弾性体で構成されてもよい。また、清掃シートとしては、例えばオレフィン系極細繊維不織布など公知のシートを利用可能である。清掃シートの状態としては、乾燥状態、または洗浄剤等を含浸するウェット状態が挙げられる。
【００１７】
複数の筒部材１３及び連結機構１３ａは、清掃ヘッド１２と把持部１６を連結する１または２以上の連結部材の一例である。複数の筒部材１３は一方向に沿って配置され、隣接する２つの筒部材１３は連結機構１３ａによって着脱可能に連結されている。清掃ヘッド１２と把持部１６の間に筒部材１３が設けられることにより、清掃ヘッド１２と把持部１６の間に複数の筒部材１３の長さに応じた間隔が生じるので、ユーザが立位の状態で把持部１６を把持しながら清掃ヘッド１２で床面を清掃することが可能となる。なお、筒部材１３の材料は、アルミ合金、ステンレス、木、ＰＰ（ポリプロピレン）樹脂、ＡＢＳ（アクリルニトリルブダジエンスチレン）等の合成樹脂等、特に制限はない。また、図１においては円筒形状の筒部材１３を連結部材として示しているが、連結部材は円筒形状の筒部材１３に限定されない。例えば、連結部材は角筒形状を有してもよいし、中空を有さない棒部材であってもよい。
【００１８】
把持部１６は、ユーザの手により把持される部分である。本実施形態では、把持部１６は、複数の筒部材１３を介して清掃ヘッド１２に連結されている。詳細には、複数の筒部材１３の一端が清掃ヘッド１２に連結され、複数の筒部材１３の他端が把持部１６に連結される。清掃具１０の運搬および販売においては清掃ヘッド１２、複数の筒部材１３および把持部１６を含む各部材は分離されている。清掃具１０を購入したユーザが複数の筒部材１３を組み立て、複数の筒部材１３を介して清掃ヘッド１２および把持部１６を連結することにより、清掃具１０が使用可能な状態となる。
【００１９】
このような把持部１６は、筒部材１３と共に、清掃ヘッド１２に連結される柄部を形成する。柄部は、ユーザが清掃具１０を利用する際に把持され得る部分の概念である。本明細書においては、ユーザにより把持されることが主に想定される部分を特に把持部１６として説明するが、ユーザは筒部材１３を把持することも可能であるので、把持部１６および筒部材１３のいずれもが柄部に該当する。さらに、本発明の実施形態による把持部１６には、センサ機能、音出力機能およびセンサ機能に基づいて得られたデータを送信する通信機能が実装される。当該把持部１６の構成については、図２〜図４を参照して後述する。
【００２０】
（情報処理装置）
情報処理装置２０は、清掃具１０のユーザが利用する装置であり、清掃具１０と有線または無線で通信する。例えば、情報処理装置２０は、清掃具１０からセンサ機能に基づいて得られたデータを受信する。当該データは、センサ機能により得られた各サンブルに対応する値、または各サンブルに対応する値の加工により得られた値を含んでもよい。当該データは清掃具１０を用いた清掃の内容を示すので、以下では当該データを清掃データと称する場合もある。清掃データは、情報処理装置２０と清掃具１０との通信が確立されている間に情報処理装置２０に送信される。清掃具１０の使用中に清掃具１０と情報処理装置２０が近く（例えば、通信可能範囲内）に存在する場合には、清掃具１０の使用中にリアルタイムで清掃データを情報処理装置２０が受信可能である。清掃具１０の使用中に清掃具１０と情報処理装置２０が近くに存在しなくても、清掃具１０の使用後に清掃具１０と情報処理装置２０が近くに存在する場合、情報処理装置２０は清掃具１０から過去の清掃データを受信可能である。
【００２１】
情報処理装置２０は、図１に示したように、表示部２２４を有する。本発明の実施形態による表示部２２４は、例えば、清掃データに基づいて生成された、清掃具１０を用いて行われた掃除の実績を示す実績画面を表示することが可能である。当該実績画面の表示により、掃除を行うことで得られるユーザの達成感、および掃除を行うモチベーションを向上させることが可能である。また、情報処理装置２０は、通信網８を介して清掃データをサーバー３０に送信する。
【００２２】
なお、図１においては情報処理装置２０の一例としてスマートフォンを示しているが、情報処理装置２０はスマートフォンに限定されない。例えば、情報処理装置２０は、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの装置であってもよい。また、情報処理装置２０は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの携帯型の装置であってもよい。
【００２３】
（サーバー）
サーバー３０は、情報処理装置２０から清掃データを受信し、清掃データを蓄積する。蓄積された清掃データの用途は特に限定されない。例えば、蓄積された清掃データは、清掃具１０が故障した場合に清掃具１０の故障の原因を解析するために用いられてもよいし、清掃具１０の改良方法を検討するために用いられてもよい。
【００２４】
なお、本明細書においてはサーバー３０が情報処理装置２０を介して清掃具１０から清掃データを取得する例を説明するが、本発明の実施形態はかかる例に限定されない。例えば、清掃具１０がサーバー３０に清掃データを送信し、サーバー３０が清掃データを情報処理装置２０に送信してもよい。
【００２５】
＜２．把持部の構成＞
以上、本発明の実施形態による情報処理システムの構成を説明した。続いて、清掃具１０の把持部１６の構成をより詳細に説明する。
【００２６】
図２Ａは、把持部１６の前面側を視点とする把持部１６の斜視図であり、図２Ｂは、把持部１６の背面側を視点とする把持部１６の斜視図である。図２Ａに示したように、把持部１６は操作部１１０を有し、図２Ａに示したＸ方向（前後方向）の一側である操作部１１０が形成される側を前面と称し、前後方向の他側を後面と称する。また、把持部１６の軸方向を上下方向（図２Ａに示したＺ方向）と称し、前後方向および軸方向に直交する方向を幅方向（図２Ａに示したＹ方向）または左右方向と称する。筒部材１３および把持部１６が清掃ヘッド１２に対して垂直に立てられた状態における前後方向は清掃ヘッド１２の短辺方向に対応し、上記状態における左右方向は清掃ヘッド１２の長辺方向に対応する。なお、本明細書における前後方向および左右方向などの表現は、説明の便宜上用いられる表現であり、本明細書で用いられる前後方向および左右方向が意味する方向は、実際の清掃における前後方向および左右方向とは必ずしも一致しない。
【００２７】
図２Ａおよび図２Ｂに示したように、把持部１６は、操作部１１０、エンドキャップ１２０、連結部１３０、電池カバー１４０、前面カバー１７２および後面カバー１７４を有する。
【００２８】
操作部１１０は、図２Ａに示したように、電源スイッチ１１１、機能スイッチ１１２、ダウンスイッチ１１３およびアップスイッチ１１４を含む。電源スイッチ１１１、機能スイッチ１１２、ダウンスイッチ１１３およびアップスイッチ１１４は上下方向に沿って配置される。かかる構成により、操作部１１０をコンパクトに設けつつ、良好な操作性を得ることが可能である。電源スイッチ１１１の押圧により電源ＯＮ状態と電源ＯＦＦ状態が切り替えられる。電源ＯＮ状態においては、後述するセンサ機能、音出力機能などが有効化される。機能スイッチ１１２の押圧により、設定対象の項目が切り替えられる。設定対象の項目としては例えば音量が挙げられる。また、機能スイッチ１１２の長押しにより、通信機能が有効化され、清掃具１０と情報処理装置２０との通信が開始される。ダウンスイッチ１１３およびアップスイッチ１１４の押圧により、設定対象の項目の設定、例えば、音量の設定が行われる。
【００２９】
エンドキャップ１２０は、把持部１６の上端部に装着される弾性部材であり、好ましくはゴム硬度が４０〜８０の弾性材料から形成されており、前面カバー１７２および後面カバー１７４より摩擦係数が高い。なお、ゴム硬度はＪＩＳ  Ｋ  ６２５３で規定する、デュロメータタイプＡ（ショアＡ）で測定した値である。清掃具１０が壁に立てかけられた際にエンドキャップ１２０が壁と当接することにより、エンドキャップ１２０の滑りが抑制されるので、清掃具１０の安定性が向上する。また、エンドキャップ１２０の上面には、図２Ｂに示したように複数の孔１２２が設けられる。この複数の孔１２２を介して、清掃具１０から音が、その音量の低下を抑制されながら出力される。複数の孔１２２が把持部１６の上端部、すなわち、清掃具１０のうちでユーザに最も近い位置に設けられることにより、ユーザによる音の認識性を向上することが可能である。なお、エンドキャップ１２０は把持部１６に必須の構成でない。把持部１６にエンドキャップ１２０が設けられない場合には、後述する固定部材１７６に複数の孔が設けられてもよい。
【００３０】
連結部１３０は、筒部材１３と着脱可能に連結される部分である。連結部１３０は、ベース部材１３１、ボタン部材１３２および切欠きリング１３４を含む。ベース部材１３１に筒部材１３が挿入されると、切欠きリング１３４と筒部材１３が係合することで把持部１６と筒部材１３が連結される。ボタン部材１３２が押圧されると、切欠きリング１３４と筒部材１３との係合が外れることで把持部１６と筒部材１３との連結状態を容易に解除することが可能となる。
【００３１】
電池カバー１４０は、把持部１６の後面に位置し、電池を収納する空間を覆う。前面カバー１７２は把持部１６の前面を形成する部材であり、後面カバー１７４は把持部１６の後面を形成する部材である。
【００３２】
なお、本明細書においては、把持部１６および複数の筒部材１３により柄部が形成される例を説明したが、清掃ヘッド１２に、複数の筒部材１３および把持部１６に代えて１本の棒が連結されてもよく、この場合、当該１本の棒が柄部として機能する。続いて、上述した把持部１６の内部構成を説明する。
【００３３】
図３は、把持部１６の分解図である。図３に示したように、前面カバー１７２と後面カバー１７４の間には、基板１５０およびスピーカ１８０が設けられる。また、電池カバー１４０と後面カバー１７４の間には電池１４２が収納される。前面カバー１７２および後面カバー１７４の上端には、前面カバー１７２および後面カバー１７４の上端を被覆することで、前面カバー１７２および後面カバー１７４の間、および前面カバー１７２および後面カバー１７４の間の部品を固定する固定部材１７６が設けられる。この固定部材１７６の外側にエンドキャップ１２０が設けられる。基板１５０には、図３に示した通信部１６０に加え、センサ機能、制御機能などが実装される。スピーカ１８０は、基板１５０からの制御に従って音を出力する。音出力部はスピーカ１８０に限られず、イヤホンまたはヘッドホンなど、音の出力機能を有する他の構成であってもよい。以下、基板１５０に実装される機能をより詳細に説明する。
【００３４】
（基板の機能）
図４は、基板１５０に実装される機能を示す説明図である。図４に示したように、基板１５０は、操作部１１０、センサ部１５１、制御部１５５、記憶部１５８および通信部１６０を備える。操作部１１０の機能は図２を参照して説明した通りであるので、ここでの詳細な説明を省略する。
【００３５】
センサ部１５１は、清掃具１０の動きを検出する動き検出部の機能を有し、例えば、加速度センサ１５２およびジャイロセンサ１５３を有する。加速度センサ１５２は、清掃具１０の加速度を示す値を出力し、ジャイロセンサ１５３は清掃具１０の角速度を示す値を出力する。センサ部１５１は、さらに、温度センサ、湿度センサ、集音センサ、振動センサまたは圧力センサなどの他のセンサを有してもよい。
【００３６】
制御部１５５は、例えばマイコンであり、スピーカ１８０による音の出力、および通信部１６０と情報処理装置２０との通信などを制御する。例えば、制御部１５５は、センサ部１５１により検出された清掃具１０の動きに応じた音をスピーカ１８０に出力させてもよい。かかる構成により、ユーザがより楽しみを感じながら掃除を行うことが可能となる。
【００３７】
また、制御部１５５は、センサ部１５１から出力される各サンプル値を清掃データとして記憶部１５８に記憶させる。さらに、制御部１５５は、各サンブル値を解析して掃除が行われた距離および時間を特定し、当該距離および時間を示すデータも清掃データとして記憶部１５８に記憶させてもよい。ここで、制御部１５５は、センサ部１５１と清掃ヘッド１２の位置関係を考慮してセンサ部１５１から出力される各サンプル値を処理することで、清掃ヘッド１２の移動距離を掃除が行われた距離として特定してもよい。
【００３８】
また、制御部１５５は、所定の操作（例えば機能スイッチ１１２の長押し）に基づき、使用者が決めたタイミングにて、記憶部１５８に記憶されている清掃データの情報処理装置２０への送信が行われるよう、通信部１６０を制御する。
【００３９】
通信部１６０は、他の装置とのインタフェースであり、有線または無線で他の装置と通信する。例えば、通信部１６０は、記憶部１５８に記憶されている清掃データを無線で情報処理装置２０に直接送信する。通信部１６０は、例えば、Ｗｉ−ＦｉまたはＢｌｕｅｔｏｏｔｈなどの無線通信方式により無線通信を行い得る。
【００４０】
＜３．情報処理装置の構成＞
以上、把持部１６の構成を説明した。続いて、図５を参照し、本発明の実施形態による情報処理装置２０の構成を説明する。
【００４１】
図５は、本発明の実施形態による情報処理装置２０の構成を示す説明図である。図５に示したように、本発明の実施形態による情報処理装置２０は、操作部２２０、表示部２２４、制御部２５５、記憶部２５８および通信部２６０を有する。
【００４２】
（操作部、表示部）
操作部２２０は、ユーザにより情報処理装置２０に情報および指示を入力するための操作が行われる構成である。表示部２２４は、各種の表示画面を表示する。操作部２２０および表示部２２４は、操作面と表示面が積層されたタッチパネルであってもよい。
【００４３】
（制御部、記憶部）
制御部２５５は、情報処理装置２０の動作全般を制御する。例えば、制御部２５５は、通信部２６０と清掃具１０との通信を制御し、通信部２６０により清掃具１０から受信された清掃データを記憶部２５８に記憶させる。
【００４４】
また、制御部２５５は、図５に示したように表示制御部２５６としての機能を有する。表示制御部２５６は、記憶部２５８に記憶された清掃データを用いて、清掃具１０を用いて行われた掃除の実績を示す実績画面を生成する。さらに、表示制御部２５６は、生成した実績画面を表示部２２４に表示させる。
【００４５】
実績画面は、単位期間ごとの掃除の実績、または複数の単位期間に跨る期間おける掃除の通算の合計実績を含んでもよい。実績としては、例えば、清掃具１０を用いて掃除が行われた時間、距離および頻度などが挙げられる。また、単位期間としては、１時間、１日、１週間および１カ月などが挙げられる。ここで、図６を参照して、実績画面の具体例を説明する。
【００４６】
図６は、実績画面の具体例を示す説明図である。図６に示したように、実績画面は、１週間における通算の掃除距離（累積距離）を示す表示５２、および各日における掃除距離をグラフ形式で示す表示５４を含む。当該実績画面では、ユーザが掃除を行うほど掃除距離が大きな値になるので、ユーザは１週間または各日の掃除距離を確認することで達成感を得ることが可能である。
【００４７】
また、表示制御部２５６は、単位期間ごとの実績または複数の単位期間に跨る期間における通算の実績が所定の条件を満たした場合に、所定の条件の達成を示す達成画面を生成する。さらに、表示制御部２５６は、生成した達成画面を表示部２２４に表示させる。具体的には、記憶部２５８が、実績に関する条件および表示情報を関連付けて記憶しており、表示制御部２５６は、単位期間ごとの実績または複数の単位期間に跨る期間における通算の実績が新たに満たした条件に関連付けられている表示情報を用いて達成画面を生成する。以下、達成画面についてより具体的に説明する。
【００４８】
図７は、記憶部２５８が記憶する条件データの具体例を示す説明図である。図７に示したように、記憶部２５８は、例えば、１週間における通算の掃除距離の条件と、表示情報の一例であるメッセージを関連付けて記憶している。図７において、掃除距離１００ｍという条件には「今日のお掃除で累積距離が１００ｍに到達しました。」というメッセージが関連付けられており、掃除距離３３２．６ｍには「今日のお掃除で累積距離がＴ山の２合目の高さに到達しました。」というメッセージが関連付けられている。
【００４９】
図８Ａおよび図８Ｂは、達成画面の具体例である。具体的には、図８Ａは１週間における通算の掃除距離が１００ｍに到達した場合に表示される達成画面であり、図８Ｂは１週間における通算の掃除距離が３３２．６ｍに到達した場合に表示される達成画面である。
【００５０】
図８Ａに示したように、１週間における通算の掃除距離が１００ｍに到達した場合、１００ｍの達成を祝う画像６２と、「今日のお掃除で累積距離が１００ｍに到達しました。」というメッセージ６４を含む達成画面が表示される。同様に、図８Ｂに示したように、１週間における通算の掃除距離が３３２．６ｍに到達した場合、３３２．６ｍの達成を祝う画像７２と、「今日のお掃除で累積距離がＴ山の２合目の高さに到達しました。」というメッセージ７４を含む達成画面が表示される。１００ｍの達成を祝う画像６２および３３２．６ｍの達成を祝う画像７２などは、記憶部２５８において掃除距離の条件にメッセージと共に関連付けられていてもよい。
【００５１】
ユーザは、このような達成画面の表示により、達成感を得ると共に、次の条件を達成しようというモチベーションを得ることが可能である。すなわち、本発明の実施形態は、ユーザによる掃除の継続性を向上することが可能である。
【００５２】
なお、清掃具１０から受信された清掃データがセンサ部１５１により得られたサンプル値であり、掃除が行われた時間、距離および頻度などの情報が含まれない場合、制御部２５５がサンプル値を解析して、掃除が行われた時間、距離および頻度などを特定してもよい。
【００５３】
（通信部）
通信部２６０は、他の装置とのインタフェースであり、他の装置と有線または無線で他の装置と通信する。例えば、通信部２６０は、通信網８を介してサーバー３０に清掃データを送信する。また、通信部２６０は、清掃具１０から清掃データを受信するデータ取得部として機能する。通信部２６０は、例えば、Ｗｉ−ＦｉまたはＢｌｕｅｔｏｏｔｈなどの無線通信方式により無線通信を行い得る。
【００５４】
＜４．動作＞
以上、本発明の実施形態による情報処理システムの構成を説明した。次に、図９および図１０を参照して、清掃具１０および情報処理装置２０の動作を整理する。
【００５５】
（清掃具の動作）
図９は、清掃具１０の動作を示すフローチャートである。まず、電源スイッチ１１１の押圧により電源がＯＮされると（Ｓ３０４）、センサ部１５１が有効化され、センサ部１５１が清掃具１０の動き検出を開始する（Ｓ３０８）。そして、記憶部１５８が、センサ部１５１から出力される各サンプル値、および制御部１５５により当該サンプル値に基づいて特定された掃除が行われた距離および時間を示す情報を、清掃データとして記憶する（Ｓ３１２）。
【００５６】
その後、電源スイッチ１１１の押圧により電源がＯＦＦされると、清掃具１０の動き検出を終了する（Ｓ３１６／Ｙｅｓ）。なお、未使用状態が一定時間経過した場合にも清掃具１０の動き検出を終了することで、電池１４２の消耗を防止してもよい。一方、清掃データの同期のための所定の操作があった場合（Ｓ３２０／Ｙｅｓ）、記憶部１５８に記憶されている清掃データを通信部１６０が情報処理装置２０に送信する（Ｓ３２４）。その後、Ｓ３０８からの処理が繰り返される。なお、通信部１６０からの清掃データの送信は、所定の操作（Ｓ３２０）に基づかなくてもよく、電源がＯＮである間に自動的に行われてもよい。
【００５７】
（情報処理装置の動作）
図１０は、情報処理装置２０の動作を示すフローチャートである。図１０に示したように、情報処理装置２０の通信部２６０が清掃具１０から清掃データを受信すると（Ｓ４０４）、制御部２５５の制御により記憶部２５８が当該清掃データを記憶する（Ｓ４０８）。
【００５８】
そして、表示制御部２５６が、記憶部２５８に記憶された清掃データを用いて、清掃具１０を用いて行われた掃除の実績を示す実績画面を生成する（Ｓ４１０）。さらに、表示制御部２５６の制御により、表示部２２４が当該実績画面を表示する（Ｓ４１２）。
【００５９】
さらに、表示制御部２５６は、単位期間ごとの実績または複数の単位期間に跨る期間における通算の実績が、記憶部２５８に記憶されているいずれかの条件を新たに満たしたか否かを判断する（Ｓ４１６）。いずれかの条件が新たに満たされた場合、表示制御部２５６が、新たに満たされた条件に関連付けられている表示情報を用いて達成画面を生成する（Ｓ４１８）。さらに、表示制御部２５６の制御により、表示部２２４が当該達成画面を表示する（Ｓ４２０）。
【００６０】
＜５．作用効果＞
以上説明したように、本発明の実施形態による情報処理装置２０は、単位期間ごとの掃除の実績、または複数の単位期間に跨る期間おける掃除の通算の合計実績を含む実績画面を生成し、表示する。当該実績画面では、ユーザが掃除を行うほどより高い実績が示されるので、ユーザは単位期間ごとの掃除の実績、または複数の単位期間に跨る期間おける掃除の通算の合計実績を確認することで達成感を得ることが可能である。
【００６１】
また、本発明の実施形態による情報処理装置２０は、単位期間ごとの実績または複数の単位期間に跨る期間における通算の実績が所定の条件を満たした場合に、所定の条件の達成を示す達成画面を生成し、表示する。ユーザは、このような達成画面により、一層の達成感を得ると共に、次の条件を達成しようというモチベーションを得ることが可能である。すなわち、本発明の実施形態は、ユーザによる掃除の継続性を向上することが可能である。
【００６２】
また、本発明の実施形態によれば、例えば清掃具１０を製造するメーカーが運営するサーバー３０に清掃データが集まる。従って、清掃具１０を製造するメーカーは、清掃データを活用して清掃具１０に関する改良、開発および研究などを行うことが可能となる。
【００６３】
＜６．変形例＞
以上、本発明の実施形態を説明した。以下では、本発明の実施形態の幾つかの変形例を説明する。なお、以下に説明する各変形例は、単独で本発明の実施形態に適用されてもよいし、組み合わせで本発明の実施形態に適用されてもよい。また、各変形例は、本発明の実施形態で説明した構成に代えて適用されてもよいし、本発明の実施形態で説明した構成に対して追加的に適用されてもよい。
【００６４】
（第１の変形例）
上記では、清掃具１０が電池１４２、基板１５０およびスピーカ１８０などを備える例を説明したが、電池１４２、基板１５０およびスピーカ１８０などの構成は異なる物理的要素に分散して設けられてもよい。当該変形例について、図１１を参照してより具体的に説明する。
【００６５】
図１１は、変形例を示す説明図である。図１１に示したように、変形例による情報処理システムでは、清掃具１１および操作装置１８が用いられる。例えば、清掃具１１には、センサ部１５１、制御部１５５およびスピーカ１８０の機能が実装され、操作装置１８には、操作部１１０および電池１４２の機能が実装されてもよい。また、例えば、スピーカ１８０の機能は操作装置１８に実装されてもよい。清掃具１１と操作装置１８は、図１１に示したように有線で接続されてもよいし、無線で接続されてもよい。かかる構成においては、ユーザは、操作装置１８を例えば身体または衣服に装着あるいは収納した状態で清掃具１１を用いて掃除を行うことが可能である。
【００６６】
（第２の変形例）
第２の変形例として、情報処理装置２０は、清掃具１０の動きパターンごとに掃除の実績を示す実績画面を生成してもよい。動きパターンの具体例を説明する。
【００６７】
動きパターンとして、例えば４つのパターンが想定される。パターン１は、拭き方向の切り替えがない一方向に清掃具１０が動いているパターンである。パターン２は、清掃ヘッド１２が曲線または８の字を描く動きのパターンである。パターン３は、短期間に拭き方向が連続で前後または左右に切り替わるパターンである。パターン４は、壁や家具等と衝突するパターンである。
【００６８】
なお、動きパターンは上述した４つのパターンに限定されず、上述した４つのパターンに加えて、または上述したいずれかのパターンに代えて、他のパターンが利用されてもよい。例えば、他のパターンとしては、ユーザが屈みながら清掃具１０を動かすパターンが挙げられる。
【００６９】
当該第２の変形例において、清掃具１０の制御部１５５は、加速度センサ１５２から出力される値の大きさ、立ち上がりの急峻さ、およびジャイロセンサ１５３から出力される値の大きさに基づき、清掃具１０の動きが上述したいずれの動きパターンに該当するかを判定する判定部として機能する。
【００７０】
例えば、制御部１５５は、加速度センサ１５２の検出値が加速度閾値を超えない範囲で変化しており、かつ、ジャイロセンサ１５３の検出値が角速度閾値を超えない範囲で変化している場合に、清掃具１０の動きパターンがパターン１であると判定する。なお、加速度センサ１５２の検出値は、加速度センサ１５２から出力される各サンプル値の、単位時間当たり（例えば、１秒、または２秒など）の平均値であってもよい。同様に、ジャイロセンサ１５３の検出値は、ジャイロセンサ１５３から出力される各サンプル値に対応する値の、単位時間当たり（例えば、１秒、または２秒など）の平均値であってもよい。
【００７１】
一方、制御部１５５は、ジャイロセンサ１５３の検出値が角速度閾値を超えている場合に、清掃具１０の動きパターンがパターン２であると判定する。また、制御部１５５は、加速度センサ１５２の検出値が加速度閾値を超えている場合に、清掃具１０の動きパターンがパターン３であると判定する。例えば、加速度閾値は、２秒間に清掃ヘッド１２が５往復した場合に加速度センサの検出値（平均値）が上回る値であってもよい。さらに、制御部１５５は、加速度センサ１５２の検出値の立ち上がりが急峻で、かつ、加速度センサの検出値が加速度閾値を超えた場合に、清掃具１０の動きパターンがパターン４であると判定する。また、動き判定部１５６は、把持部１６の傾きが閾値よりも大きい場合に、清掃具１０の動きパターンが上述したユーザが屈みながら清掃具１０を動かすパターンであると判定する。
【００７２】
記憶部１５８は制御部１５５により判定された清掃具１０の動きパターンを示す情報を清掃データの１つとして記憶し、通信部１６０は、記憶部１５８に記憶された動きパターンを示す情報を含む清掃データを情報処理装置２０に送信する。
【００７３】
情報処理装置２０の表示制御部２５６は、動きパターンを示す情報を含む清掃データに基づき、動きパターンごとの掃除の実績を示す実績画面を生成する。
【００７４】
図１２は、第２の変形例による実績画面の具体例を示す説明図である。図１２に示したように、第２の変形例による実績画面は、１日の通算の掃除の実績を示す表示８０と、動きパターンごとの掃除の実績を示す表示８４と、グラフ表示８５を含む。
【００７５】
１日の通算の掃除の実績を示す表示８０は、掃除回数を示す表示８１、掃除距離を示す表示８２、および掃除時間を示す表示８３を含む。動きパターンごとの掃除の実績を示す表示８４は、各動きパターンでの掃除距離および掃除時間を示す。なお、パターン４については、「衝突」の回数が示される。グラフ表示８５は、各動きパターンでの掃除距離の比率を示す。
【００７６】
ユーザは、当該実績画面を確認することで、ユーザが行う掃除の傾向を把握することができる。また、図７を参照して説明した条件は動きパターンごとに用意されてもよく、この場合、多様なパターンで掃除を行うことをユーザに意識付けることが可能となる。
【００７７】
なお、上記では制御部１５５が加速度センサ１５２から出力される値およびジャイロセンサ１５３から出力される値に基づいて清掃具１０の動きパターンを判定する例を説明したが、動きパターンの判定方法はかかる例に限定されない。例えば、清掃具１０は加速度センサ１５２またはジャイロセンサ１５３の一方を有し、加速度センサ１５２またはジャイロセンサ１５３の他方を有さず、制御部１５５は、加速度センサ１５２またはジャイロセンサ１５３の一方から出力される値に基づいて清掃具１０の動きパターンを判定してもよい。
【００７８】
また、制御部１５５は、他の種類のセンサから出力される値に基づいて清掃具１０の動きパターンを判定してもよい。例えば、清掃具１０が比較的激しく動かされるパターン３においては、ユーザが把持部１６をより強い力で握ることが予想される。このため、把持部１６に圧力センサを設け、制御部１５５は、当該圧力センサから出力される値に基づいて清掃具１０の動きパターンを判定してもよい。
【００７９】
また、制御部１５５は、清掃具１０の動きパターンに応じた音をスピーカ１８０に出力させてもよい。かかる構成によれば、ユーザがより楽しみを感じながら掃除を行うことが可能となる。さらに、制御部１５５は、センサ部１５１から出力される値の大きさに応じた音を選択し、選択した音をスピーカ１８０に出力させてもよい。具体的には、センサ部１５１から出力される値（加速度センサ１５２の検出値、またはジャイロセンサ１５３の検出値）の大きさに、音量、音程またはリズム（テンポの速さ）の少なくともいずれかが関連付けられており、制御部１５５は、当該関連付けに基づき、センサ部１５１から出力される値に応じた音を選択してもよい。関連付けの例としては、加速度センサ１５２の検出値が大きいほど音量が大きくなるような関連付け、加速度センサ１５２の検出値が大きいほど音程が高くなるような関連付け、加速度センサ１５２の検出値が大きいほどリズムが速くなるような関連付けなどが挙げられる。当該変形例によれば、センサ部１５１から出力される値とスピーカ１８０から出力される音を直接的かつリニアに連動させることが可能である。
【００８０】
（第３の変形例）
上記では、清掃具１０の電源が電池である例を説明したが、清掃具１０の電源は電池に限定されない。例えば、清掃具１０の電源はＡＣコンセントであってもよいし、太陽発電であってもよい。また、清掃具１０の電源は、内蔵式の充電可能な二次電池（例えば、リチウムイオン二次電池）であってもよい。
【００８１】
（第４の変形例）
上記では、センサ部１５１が把持部１６に設けられる例を説明したが、センサ部１５１は他の部分に設けられてもよい。例えば、センサ部１５１は清掃ヘッド１２に設けられてもよい。かかる構成によれば、センサ部１５１が清掃ヘッド１２の動きをより直接的に検出することが可能となる。
【００８２】
（第５の変形例）
上記では、情報処理システムとして清掃具１０、情報処理装置２０およびサーバー３０を包含するシステムを説明した。しかし、情報処理システムの概念は、動き検出に基づくデータを用いて実績画面を生成する機能を有する主体であり、清掃具１０、情報処理装置２０およびサーバー３０を包含するシステムに限られない。例えば、情報処理装置２０は動き検出に基づくデータを用いて実績画面を生成する機能を有するので、情報処理装置２０を情報処理システムとして捉えることも可能である。
【００８３】
（第６の変形例）
上記では、情報処理装置２０が実績画面の生成機能を有する例を説明したが、情報処理装置２０は実績画面の生成機能を有さなくてもよい。例えば、情報処理装置２０は、清掃データをサーバー３０に送信し、サーバー３０が実績画面を清掃データに基づいて生成し、サーバー３０が実績画面を情報処理装置２０に送信し、情報処理装置２０はサーバー３０から受信した実績画面を表示してもよい。
【００８４】
＜６．ハードウェア構成＞
以上、本発明の各実施形態を説明した。上述した実績画面の生成および条件達成の判断などの情報処理は、ソフトウェアと、以下に説明する情報処理装置２０のハードウェアとの協働により実現される。
【００８５】
図１３は、情報処理装置２０のハードウェア構成を示す説明図である。図１３に示したように、情報処理装置２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、入力装置２０８と、出力装置２１０と、メモリ装置２１１と、撮像装置２１３と、通信装置２１５とを備える。
【００８６】
ＣＰＵ２０１は、演算処理装置および制御装置として機能し、各種プログラムに従って情報処理装置２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一時記憶する。これらはＣＰＵバスなどから構成されるホストバス２１２により相互に接続されている。これらＣＰＵ２０１、ＲＯＭ２０２およびＲＡＭ２０３とソフトウェアとの協働により、図５を参照して説明した制御部２５５の機能が実現され得る。
【００８７】
入力装置２０８は、マウス、キーボード、タッチパネル、ボタン、マイクロフォン、スイッチ、カメラおよびレバーなどユーザが情報を入力するための入力手段と、ユーザによる入力に基づいて入力信号を生成し、ＣＰＵ２０１に出力する入力制御回路などから構成されている。情報処理装置２０のユーザは、該入力装置２０８を操作することにより、情報処理装置２０に対して各種のデータを入力したり処理動作を指示したりすることができる。当該入力装置２０８は、図５を参照して説明した操作部２２０の機能を実現し得る。
【００８８】
出力装置２１０は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置２１０は、スピーカおよびヘッドホンなどの音声出力装置を含む。例えば、表示装置は、図５を参照して説明した表示部２２４に対応し、撮像された画像や生成された画像などを表示する。一方、音声出力装置は、音声データ等を音声に変換して出力する。
【００８９】
メモリ装置２１１は、データ格納用の装置であり、図５を参照して説明した記憶部２５８に対応する。メモリ装置２１１は、記憶媒体、記憶媒体にデータを記録する記録装置、記憶媒体からデータを読み出す読出し装置および記憶媒体に記録されたデータを削除する削除装置などを含んでもよい。このメモリ装置２１１は、ＣＰＵ２０１が実行するプログラムや各種データを格納する。
【００９０】
撮像装置２１３は、光を集光する撮影レンズおよびズームレンズなどの撮像光学系、およびＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの信号変換素子を備える。撮像光学系は、被写体から発せられる光を集光して信号変換部に被写体像を形成し、信号変換素子は、形成された被写体像を電気的な画像信号に変換する。
【００９１】
通信装置２１５は、例えば、通信網８に接続するための通信デバイス等で構成された通信インタフェースであり、図５を参照して説明した通信部２６０に対応する。また、通信装置２１５は、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【００９２】
＜７．補足＞
以上、添付図面を参照しながら本発明の好適な実施形態について詳細に説明したが、本発明の技術的範囲はかかる例に限定されない。本発明の技術分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９３】
例えば、上記では清掃シートが取り付けられる清掃具１０に本発明の実施形態が適用される例を説明したが、他の清掃具に本発明の実施形態を適用することも可能である。他の清掃具としては、天井や棚等を清掃対象とするハンディタイプの清掃具が挙げられる。また、移動が無い静止状態も１つの動きパターンとして扱われてもよい。
【００９４】
また、本明細書の清掃具１０および情報処理装置２０の処理における各ステップは、必ずしもフローチャートとして記載された順序に沿って時系列に処理する必要はない。例えば、清掃具１０および情報処理装置２０の処理における各ステップは、フローチャートとして記載した順序と異なる順序で処理されても、並列的に処理されてもよい。
【００９５】
情報処理装置２０に内蔵されるＣＰＵ２０１、ＲＯＭ２０２およびＲＡＭ２０３などのハードウェアに、上述した清掃具１０の各構成と同等の機能を発揮させるためのコンピュータプログラムも作成可能である。
【符号の説明】
【００９６】
１０、１１  清掃具
１２  清掃ヘッド
１２ａ  ジョイント部
１２ｂ  シート保持部
１３  筒部材
１３ａ  連結機構
１６  把持部
１１０  操作部
１１１  電源スイッチ
１１２  機能スイッチ
１１３  ダウンスイッチ
１１４  アップスイッチ
１２０  エンドキャップ
１２２  孔
１３０  連結部
１３１  ベース部材
１３２  ボタン部材
１３４  切欠きリング
１４０  電池カバー
１４２  電池
１５０  基板
１５１  センサ部
１５１  検出部
１５２  加速度センサ
１５３  ジャイロセンサ
１５５  制御部
１５８  記憶部
１６０  通信部
１７２  前面カバー
１７４  後面カバー
１７６  固定部材
１８０  スピーカ
２０  情報処理装置
２２０  操作部
２２４  表示部
２５５  制御部
２５６  表示制御部
２５８  記憶部
２６０  通信部
３０  サーバー
【図１】
2019192167.tif 000003
【図２Ａ】
2019192167.tif 000004
【図２Ｂ】
2019192167.tif 000005
【図３】
2019192167.tif 000006
【図４】
2019192167.tif 000007
【図５】
2019192167.tif 000008
【図６】
2019192167.tif 000009
【図７】
2019192167.tif 000010
【図８Ａ】
2019192167.tif 000011
【図８Ｂ】
2019192167.tif 000012
【図９】
2019192167.tif 000013
【図１０】
2019192167.tif 000014
【図１１】
2019192167.tif 000015
【図１２】
2019192167.tif 000016
【図１３】
2019192167.tif 000017